(57)【要約】本発明は、インターネットに基づくマルチレベルのバーコード偽造防止方法を開示し、各商品に一対一対応するバーコードグループを生成して偽造防止システムにアップロードし、バーコードグループは、少なくとも１つの開示される第１バーコード及び１つの開示されない第２バーコードを含み、第２バーコードは、第１バーコードの情報に単一方向に関連するＳ１と、第１バーコードを識別して読み取ると共に、第２バーコードをアクティブにするＳ２と、第２バーコード情報を識別して読み取り、偽造防止システムにリンクするＳ３と、商品が純正品であるか否かを判断するＳ４と、第２バーコードに関連する第１バーコードの商品情報を抽出するＳ５と、第１バーコードの商品情報をユーザのクライアントにダワンロードして表示するＳ６と、商品が非純正品であるフィードバック情報をユーザに送信するＳ７とを含む。本発明は、さらに、インターネットに基くマルチレベルのバーコード偽造防止装置及びシステムを開示する。本発明を実施する技術案は、商品の真偽を判別し、改竄防止や、交換防止、使い込み防止を実現することができる。
2019530055.tif 000002
【特許請求の範囲】
【請求項１】
インターネットに基くマルチレベルのバーコード偽造防止方法であって、
各商品に一対一対応するバーコードグループを生成して偽造防止システムにアップロード
し、前記バーコードグループは、少なくとも１つの開示される第１バーコード及び１つの
開示されない第２バーコードを含み、前記第２バーコードは、第１バーコードの情報に単
一方向に関連するＳ１と、
前記第１バーコードを識別して読み取り、バーコード識別読取り設備を介して識別して読
み取った後に、商品生産完了の時間、場所、成分及び商品品質検出の関連情報を指定され
たＩＰアドレスにより偽造防止システムにリアルタイムにアップロードし、第１バーコー
ドを識別して読み取ると共に、第２バーコードをアクティブにするＳ２と、
前記第２バーコード情報を識別して読み取り、前記偽造防止システムにリンクするＳ３と
、
商品が純正品であるか否かを判断し、ＹＳＥであると、ステップＳ５に進入し、ＮＯであ
ると、ステップＳ７に進入するＳ４と、
前記第２バーコードに関連する第１バーコードの商品情報を抽出するＳ５と、
前記偽造防止システムのサーバから前記第１バーコードの商品情報をユーザのクライアン
トにダワンロードして表示するＳ６と、
商品が非純正品であるフィードバック情報をユーザに送信するＳ７とを含むことを特徴と
するインターネットに基くマルチレベルのバーコード偽造防止方法。
【請求項２】
前記ステップＳ４は、具体的には、
前記開示されない第２バーコードが偽造防止システムにより識別して読み取られると、第
１回に識別して読み取られると判断する場合、該商品が純正品であるフィードバック情報
を送信し、偽造防止システムにより生成される再識別読取り認証コードをユーザに送信し
、ステップＳ５に進入するＳ４１と、
前記開示されない第２バーコードが偽造防止システムにより識別して読み取られるが、第
１回に識別して読み取られることではない場合、偽造防止システムは、前記第２バーコー
ドがもう第Ｎ回に識別して読み取られることを提示し、かつユーザに偽造防止システムか
ら送信した再識別読取り認証コードを入力するように気付かせ、認証コードがシステムに
より成功を認証すると、商品が純正品であることを確認するフィードバック情報を送信し
、ステップＳ５に進入し、認証コードがシステムにより失敗を認証すると、ステップＳ７
に進入し、ただし、Ｎが１より大きい整数であるＳ４２と、
前記開示されない第２バーコードが偽造防止システムにより識別して読み取られないと、
ステップＳ７に進入することと、を含むことを特徴とする請求項１に記載の方法。
【請求項３】
前記ステップＳ１は、さらに、以下のステップを含み、
商品生産が完了した後に、グルーピングし、及び／又は棚入れし、及び／又は数回に分け
て包装するとき、グルーピングし、及び／又は棚入れし、及び／又は数回に分けて包装す
る、異なるバーコードを対応に生成し、対応して以下のステップを行い、
前記各商品第１バーコード情報を、グルーピングして包装するバーコード情報に加え、偽
造防止システムにアップロードし、
グルーピングして包装するバーコード情報を、棚入れして包装するバーコード情報に加え
、偽造防止システムにアップロードし、
棚入れして包装するバーコード情報を、数回に分けて包装するバーコードに加え、偽造防
止システムにアップロードし、
前記グルーピングし、及び／又は棚入れし、及び／又は数回に分けて包装する前記バーコ
ードを識別して読み取り、リンクにより流通及び販売過程における情報を偽造防止システ
ムに自動的にリアルタイムにアップロードすることを特徴とする請求項１に記載の方法。
【請求項４】
インターネットに基くマルチレベルのバーコード偽造防止装置であって、
各商品に一対一対応するバーコードグループを生成して偽造防止システムにアップロード
し、前記バーコードグループは、少なくとも１つの開示された第１バーコード及び１つの
開示されない第２バーコードを含み、前記第２バーコードが第１バーコードの情報に単一
方向に関連するバーコード生成ユニットと、
前記第１バーコードを識別して読み取り、バーコード識別読取り設備により識別して読み
取られた後、商品生産完了の時間、場所、成分及び商品品質検出の関連情報を指定された
ＩＰアドレスにより偽造防止システムにリアルタイムにアップロードし、第１バーコード
を識別して読み取ると共に、第２バーコードをアクティブにする第１バーコード情報識別
読取りユニットと、
前記第２バーコード情報を識別して読み取り、前記偽造防止システムにリンクする第２バ
ーコード情報識別読取りユニットと、
商品が純正品であるか否かを判断し、純正品であると、関連情報抽出ユニットに進入し、
非純正品であると、非純正品情報フィードバックユニットに進入する判断ユニットと、
前記第２バーコードに関連する第１バーコードの商品情報及び関連情報を抽出する関連情
報抽出ユニットと、
前記偽造防止システムのサーバから前記第１バーコードの商品情報及び関連情報をユーザ
のクライアントにダワンロードして表示する情報ダワンロードユニットと、
商品が非純正品であるフィードバック情報をユーザに送信する非純正品情報フィードバッ
クユニットとを含むことを特徴とするインターネットに基くマルチレベルのバーコード偽
造防止装置。
【請求項５】
前記判断ユニットは、具体的には、
前記開示されない第２バーコードが偽造防止システムにより識別して読み取られると、第
１回に識別して読み取られる場合、該商品が純正品であるフィードバック情報を送信し、
かつ偽造防止システムにより生成される再識別読取り認証コードをユーザに送信し、そし
て、関連情報抽出ユニットに進入する初回識別読取り判断ユニットと、
前記開示されない第２バーコードが偽造防止システムにより識別して読み取られるが、第
１回に識別して読み取られることではない場合、偽造防止システムは、前記第２バーコー
ドがもう第Ｎ次に識別して読み取られることを提示し、かつユーザに偽造防止システムか
ら送信した再識別読取り認証コードを入力することを気付かせ、認証コードがシステムよ
り成功を認証すると、商品が純正品であるフィードバック情報を送信し、認証コードがシ
ステムにより失敗を認証すると、非純正品情報フィードバックユニットに進入し、ただし
、Ｎが１より大きい整数である再識別読取り判断ユニットと、
前記第２バーコードが偽造防止システムにより識別して読み取られないと、非純正品情報
フィードバックユニットに進入する第３識別読取りユニットと、を含むことを特徴とする
請求項４に記載の装置。
【請求項６】
前記バーコード生成ユニットは、さらに、
商品生産が完了した後、グルーピングし、及び／又は棚入れし、及び／又は数回に分けて
包装するとき、グルーピングし、及び／又は棚入れし、及び／又は数回に分けて包装する
異なるバーコードグループを対応に生成し、対応して以下のステップを行う商品流通バー
コード生成ユニットを含み、
前記第１バーコード情報を、グルーピングして包装するバーコード情報に加え、偽造防止
システムにアップロードし、
グルーピングして包装する各バーコード情報を、棚入れして包装するバーコード情報に加
え、偽造防止システムにアップロードし、
棚入れして包装する各バーコード情報を、数回に分けて包装するバーコード情報に加え、
偽造防止システムにアップロードし、
グルーピングし、及び／又は棚入れし、及び／又は数回に分けて包装する前記バーコード
を識別して読み取り、リンクにより流通及び販売過程における情報を偽造防止システムに
自動的にリアルタイムにアップロードすることを特徴とする請求項４に記載の装置。
【請求項７】
サーバ、前記サーバに接続する制御器、バーコード生成設備及び前記サーバに通信する少
なくとも１つのクライアントを含むインターネットに基くマルチレベルのバーコード偽造
防止システムであって、
前記制御器は、請求項４〜６のいずれか一項に記載のインターネットに基くマルチレベル
のバーコード偽造防止装置を含むことを特徴とするインターネットに基くマルチレベルの
バーコード偽造防止システム。
【請求項８】
前記サーバは、インターネットや、ＷＩＦＩ、３Ｇ、４Ｇ、５Ｇ、ブルートゥース、ＧＰ
ＲＳにより前記クライアントに通信していることを特徴とする請求項７に記載の偽造防止
システム。
【発明の詳細な説明】
【技術分野】
【０００１】
本出願は、２０１６年８月１０日に提出した、出願番号が２０１６１０６５４４５９.２
で、出願者が沈洪徳で、発明名称がインターネットに基くマルチレベルのバーコード偽造
防止方法、装置及びシステムの優先権を請求し、該出願の全文が引用により本出願に組み
入れられる。
【０００２】
本発明は、バーコード分野に関し、特に、インターネットに基くマルチレベルのバーコー
ド偽造防止方法、装置及びシステムに関する。
【背景技術】
【０００３】
バーコードの応用は、我々の生活の各方面、例えば、地下鉄の広告、新聞、列車チケット
、航空券、ファストフードレストラン、映画館、共同購入ウェブサイト及び各種の商品外
装にもう広がっている。モノのインターネット産業の一環として、バーコードの応用は、
一度もこのように注意されていない。国内のモノのインターネット産業の繁栄に伴って、
バーコードとモバイルカメラ、及びバーコードとコンピュータとの配合により多様な応用
を発生し、我々は、自分の名刺にバーコードをプリントし、他人は、バーコード識別ソフ
トウェアを装着したカメラ付き携帯電話により気軽にスキャンするだけで、名刺における
各種資料のすべてを携帯電話に入力することができる。スーパーマーケットの商品にもバ
ーコードをプリントすると、携帯電話を介して該商品に関する大量の詳しい情報が得られ
る。
【０００４】
バーコード技術が大量に応用されることに伴って、どのように商品におけるバーコード情
報により商品の生産及び流通情報をトラッキングし、どのように使用過程の記録を実現し
、また、どのように改竄防止や、交換防止、使い込みを実現することは、人間の課題にな
っている。
【発明の概要】
【発明が解決しようとする課題】
【０００５】
以上の問題を解決するために、本発明は、インターネットに基くマルチレベルのバーコー
ド偽造防止方法、装置及びシステムを提出する。
【課題を解決するための手段】
【０００６】
本発明は、インターネットに基くマルチレベルのバーコード偽造防止方法を開示し、
各商品に一対一対応するバーコードグループを生成して偽造防止システムにアップロード
し、前記バーコードグループは、少なくとも１つの開示される第１バーコード及び１つの
開示されない第２バーコードを含み、前記第２バーコードは、第１バーコードの情報に単
一方向に関連するＳ１と、
前記第１バーコードを識別して読み取り、バーコード識別読取り設備を介して識別して読
み取った後に、商品生産完了の時間、場所、成分及び商品品質検出の関連情報を指定され
たＩＰアドレスにより偽造防止システムにリアルタイムにアップロードし、第１バーコー
ドを識別して読み取ると共に、第２バーコードをアクティブにするＳ２と、
前記第２バーコード情報を識別して読み取り、前記偽造防止システムにリンクするＳ３と
、
商品が純正品であるか否かを判断し、ＹＳＥであると、ステップＳ５に進入し、ＮＯであ
ると、ステップＳ７に進入するＳ４と、
前記第２バーコードに関連する第１バーコードの商品情報を抽出するＳ５と、
前記偽造防止システムのサーバから前記第１バーコードの商品情報をユーザのクライアン
トにダワンロードして表示するＳ６と、
商品が非純正品であるフィードバック情報をユーザに送信するＳ７とを含む。
【０００７】
さらに、前記ステップＳ４は、具体的には、
前記開示されない第２バーコードが偽造防止システムにより識別して読み取られると、第
１回に識別して読み取られると判断する場合、該商品が純正品であるフィードバック情報
を送信し、偽造防止システムにより生成される再識別読取り認証コードをユーザに送信し
、ステップＳ５に進入するＳ４１と、
前記開示されない第２バーコードが偽造防止システムにより識別して読み取られるが、第
１回に識別して読み取られることではない場合、偽造防止システムは、前記第２バーコー
ドがもう第Ｎ回に識別して読み取られることを提示し、かつユーザに偽造防止システムか
ら送信した再識別読取り認証コードを入力するように気付かせ、認証コードがシステムに
より成功を認証すると、商品が純正品であることを確認するフィードバック情報を送信し
、ステップＳ５に進入し、認証コードがシステムにより失敗を認証すると、ステップＳ７
に進入し、ただし、Ｎが１より大きい整数であるＳ４２と、
前記開示されない第２バーコードが偽造防止システムにより識別して読み取られないと、
ステップＳ７に進入することと、を含む。
【０００８】
前記ステップＳ１は、さらに、以下のステップを含み、
商品生産が完了した後に、グルーピングし、及び／又は棚入れし、及び／又は数回に分け
て包装するとき、グルーピングし、及び／又は棚入れし、及び／又は数回に分けて包装す
る、異なるバーコードを対応に生成し、対応して以下のステップを行い、
前記各商品第１バーコード情報を、グルーピングして包装するバーコード情報に加え、偽
造防止システムにアップロードし、
グルーピングして包装するバーコード情報を、棚入れして包装するバーコード情報に加え
、偽造防止システムにアップロードし、
棚入れして包装するバーコード情報を、数回に分けて包装するバーコードに加え、偽造防
止システムにアップロードし、
前記グルーピングし、及び／又は棚入れし、及び／又は数回に分けて包装する前記バーコ
ードを識別して読み取り、リンクにより流通及び販売過程における情報を偽造防止システ
ムに自動的にリアルタイムにアップロードする。
【０００９】
本発明は、インターネットに基くマルチレベルのバーコード偽造防止装置を開示し、
各商品に一対一対応するバーコードグループを生成して偽造防止システムにアップロード
し、前記バーコードグループは、少なくとも１つの開示された第１バーコード及び１つの
開示されない第２バーコードを含み、前記第２バーコードが第１バーコードの情報に単一
方向に関連するバーコード生成ユニットと、
前記第１バーコードを識別して読み取り、バーコード識別読取り設備により識別して読み
取られた後、商品生産完了の時間、場所、成分及び商品品質検出の関連情報を指定された
ＩＰアドレスにより偽造防止システムにリアルタイムにアップロードし、第１バーコード
を識別して読み取ると共に、第２バーコードをアクティブにする第１バーコード情報識別
読取りユニットと、
前記第２バーコード情報を識別して読み取り、前記偽造防止システムにリンクする第２バ
ーコード情報識別読取りユニットと、
商品が純正品であるか否かを判断し、純正品であると、関連情報抽出ユニットに進入し、
非純正品であると、非純正品情報フィードバックユニットに進入する判断ユニットと、
前記第２バーコードに関連する第１バーコードの商品情報及び関連情報を抽出する関連情
報抽出ユニットと、
前記偽造防止システムのサーバから前記第１バーコードの商品情報及び関連情報をユーザ
のクライアントにダワンロードして表示する情報ダワンロードユニットと、
商品が非純正品であるフィードバック情報をユーザに送信する非純正品情報フィードバッ
クユニットとを含む。
【００１０】
さらに、前記判断ユニットは、具体的には、
前記開示されない第２バーコードが偽造防止システムにより識別して読み取られると、第
１回に識別して読み取られると判断する場合、該商品が純正品であるフィードバック情報
を送信し、かつ偽造防止システムにより生成される再識別読取り認証コードをユーザに送
信し、そして、関連情報抽出ユニットに進入する初回識別読取り判断ユニットと、
前記開示されない第２バーコードが偽造防止システムにより識別して読み取られるが、第
１回に識別して読み取られることではない場合、偽造防止システムは、前記第２バーコー
ドがもう第Ｎ次に識別して読み取られることを提示し、かつユーザに偽造防止システムか
ら送信した再識別読取り認証コードを入力することを気付かせ、認証コードがシステムよ
り成功を認証すると、商品が純正品であるフィードバック情報を送信し、認証コードがシ
ステムにより失敗を認証すると、非純正品情報フィードバックユニットに進入し、ただし
、Ｎが１より大きい整数である再識別読取り判断ユニットと、
前記第２バーコードが偽造防止システムにより識別して読み取られないと、非純正品情報
フィードバックユニットに進入する第３識別読取りユニットと、を含む。
【００１１】
さらに、前記バーコード生成ユニットは、さらに、
商品生産が完了した後、グルーピングし、及び／又は棚入れし、及び／又は数回に分けて
包装するとき、グルーピングし、及び／又は棚入れし、及び／又は数回に分けて包装する
異なるバーコードグループを対応に生成し、対応して以下のステップを行う商品流通バー
コード生成ユニットを含み、
前記第１バーコード情報を、グルーピングして包装するバーコード情報に加え、偽造防止
システムにアップロードし、
グルーピングして包装する各バーコード情報を、棚入れして包装するバーコード情報に加
え、偽造防止システムにアップロードし、
棚入れして包装する各バーコード情報を、数回に分けて包装するバーコード情報に加え、
偽造防止システムにアップロードし、
グルーピングし、及び／又は棚入れし、及び／又は数回に分けて包装する前記バーコード
を識別して読み取り、リンクにより流通及び販売過程における情報を偽造防止システムに
自動的にリアルタイムにアップロードする。
【００１２】
本発明は、インターネットに基くマルチレベルのバーコード偽造防止の制御システムを開
示し、サーバ、前記サーバに接続する制御器、バーコード生成設備及び前記サーバに通信
する少なくとも１つのクライアントを含み、前記制御器は、上記のインターネットに基く
マルチレベルのバーコード偽造防止装置を含む。
【００１３】
さらに、前記サーバは、インターネットや、ＷＩＦＩ、３Ｇ、４Ｇ、５Ｇ、ブルートゥー
ス、ＧＰＲＳにより前記クライアントに通信している。
【００１４】
本発明に係るインターネットに基くマルチレベルのバーコード偽造防止方法、装置及びシ
ステムは、以下の有益な技術効果を有する。
【００１５】
本発明の技術案は、各商品に一対一対応する第１バーコード情報により商品の生産及び流
通情報をトラッキングし、商品の全過程情報のトラッキング可能性を実現し、かつ第２バ
ーコード情報により商品の真偽を検証することができる。それにより、マルチレベルの偽
造防止や、改竄防止、交換防止、使い込み防止を実現し、特に、カスタマイズする製品、
中級・最高仕様の商品及びブランド保護に適用され、模造、偽造商品が生存することがで
きない。
【００１６】
インターネットや、ＷＩＦＩ、３Ｇ、４Ｇ、５Ｇ、ブルートゥース、ＧＰＲＳなどの通信
方式により、材料の流通のリアルタイムフォローアップ及び追跡を実現し、設備の遠隔メ
インテナンス及び保全、製品偽造防止、改竄防止及び末端消費者の激励、企業サプライチ
ェーンフローの再構築などに役立ち、消費者の応答度を向上し、製品及びサービスを末端
消費者まで拡大する。
【００１７】
メーカーも市場ダイナミクスを適時に把握し、より実用の製品を開発して消費者の必要を
満足し、最終にオーダに従って生産し、生産コスト及び経営コストを大幅に低下すること
ができる。
【００１８】
バーコードの普及及び応用は、商品の生命周期全体のトラッキングに有利であり、商品の
廃棄及び回収再利用に有利である。
【図面の簡単な説明】
【００１９】
以下、本発明の実施例又は既存技術の技術案をはっきりに説明するために、実施例又は既
存技術の説明のために使用する必要がある図面を簡単的に説明する。明らかに、以下に説
明した図面は、本発明のある実施例のみであり、当業者にとっては、進歩性に値する労働
をしない前提で、これらの図面に基づいて他の図面が得られる。
【図１】図１は、本発明の実施例に係るインターネットに基くマルチレベルのバーコード偽造防止方法のフローチャットである。
【図２】図２は、本発明の図１の一部のステップの分解模式図である。
【図３】図３は、本発明の実施例に係るインターネットに基くマルチレベルのバーコード偽造防止装置のブロック図である。
【図４】図４は、本発明の図３の一部のユニットの分解模式図である。
【図５】図５は、本発明の実施例に係るインターネットに基くマルチレベルのバーコード偽造防止システムのモジュール図である。
【発明を実施するための形態】
【００２０】
以下、本発明の実施例における図面を結び合わせて、本発明の実施例における技術案をは
っきり、完全に説明し、明らかに、説明した実施例は、本発明の一部の実施例のみであり
、すべての実施例ではない。本発明における実施例に基づいて、当業者が進歩性に値する
労働をしない前提で得られるすべての他の実施例は、いずれも本発明の保護範囲に含まれ
る。
【００２１】
図１に示すように、本発明に係る方法の実施例は、インターネットに基くマルチレベルの
バーコード偽造防止方法であって、以下のステップを含む。
【００２２】
Ｓ１において、各商品に一対一対応するバーコードグループを生成して偽造防止システム
にアップロードし、前記バーコードグループは、少なくとも１つの開示される第１バーコ
ード及び１つの開示されない第２バーコードを含み、前記第２バーコードは、第１バーコ
ードの情報に単一方向に関連する。
【００２３】
バーコードは、実際的には、多くの０、１から構成するデジタルマトリックスでる。二次
元バーコード／バーコード(２−ｄｉｍｅｎｓｉｏｎａｌ  ｂａｒ  ｃｏｄｅ)は、ある特
定の幾何図形により一定の規律で平面(二次元方向)に分布する、チェッカーで黒と白の図
形によりデータシンボル情報を記録する。コードでコンピュータ内部のロジック基礎を構
成する「０」、「１」ビットストリームの概念を巧妙に利用し、幾つかの２進法又は４進
法に対応する幾何形体により文字数値情報を示し、画像入力設備又は光電識別読取り設備
により自動的に識別して読み取ることにより情報の自動処理を実現する。それは、コード
技術のある一般性を有する。即ち、それぞれのコード体系は、その特定のキャラクターセ
ットを有し、各キャラクターは、一定の幅を占める。一定の検証機能などを有する。それ
と同時に、異なる行の情報を自動的に識別する機能及び処理図形が回転して変化すること
ができるなどの特徴を有する。二次元バーコード／バーコードは、横方向及び縦方向とい
う方位から情報を同時に表現することができるので、小さい面積で大量の情報を表現する
ことができる。
【００２４】
生産過程において、製品及び部材に対してバーコードをコーディングして管理し、システ
ムに同期にアップロードする。生産過程におけるバーコードは、生産プロ−管理に用いら
れて生産日時、成分、組成、使用説明及び注意事項を記録することができ、生産過程にお
いてエラーを回避し、生産効率を向上することができ、かつ柔軟性のカスタマイズする生
産を実現することができる。
【００２５】
それぞれの商品は、いずれも自分のバーコードアイデンティティーを有し、商品のラベル
及び包装に開示された第１バーコードをプリントすることができる。商品包装を開けるキ
ーな部位(この部位は、開けられると、痕跡のなくて復元することができない)又は商品を
開けるキーな部位(この部位は、開けられると、痕跡のなくて復元することができない)に
開示されない第２バーコードをプリントしてもよく、開示されない第２バーコードを密封
紙内又はほかの隠されるキャリアにプリントしてもよく、この密封紙又はキャリアは、商
品包装内に置かれ、或いは商品と一体になる。
【００２６】
該システムは、少なくとも、マルチレベルのバーコード生成設備、バックエンドサーバ及
び偽造防止ソフトウェア、インテリジェントターミナルの偽造防止バーコードＡＰＰ識別
読取りソフトウェア、又はウィーチャット、Ｆａｃｅｂｏｏｋなどによるバーコード識別
読取り機能を含む。
【００２７】
偽造防止システムにより各商品に一対一対応するバーコードグループを生成し、このグル
ープのバーコードを識別して読み取ると、同一商品である。
【００２８】
さらに、商品生産が完了した後に、グルーピングし、及び／又は棚入れし、及び／又は数
回に分けて包装するとき、グルーピングし、及び／又は棚入れし、及び／又は数回に分け
て包装する、異なるバーコードを生成することができ、かつ以下のステップを行うことが
できる。
【００２９】
前記第１バーコード情報を、グルーピングして包装するバーコード情報に加え、偽造防止
システムにアップロードし、及び／又はグルーピングして包装するバーコード情報を、棚
入れして包装するバーコード情報に加え、偽造防止システムにアップロードし、及び／又
は棚入れして包装する各バーコード情報を数回に分けて包装するバーコードに加え、偽造
防止システムにアップロードする。
【００３０】
前記グルーピングし、及び／又は棚入れし、及び／又は数回に分けて包装するバーコード
を識別して読み取り、リンクにより偽造防止システムは、流通及び販売過程における情報
を偽造防止システムに自動的にリアルタイムにアップロードすることができる。
【００３１】
製品の販売過程において、各商品の前記第１バーコードに対して識別読取り管理を行い、
販売時間、販売場所及び在庫受入時間を記録すると共に、製品品質問題を追跡することが
でき、食品安全、農製品追跡、製品保証・フリーイング防止などの管理を強化することが
できる。
【００３２】
以上のステップは、商品流通の状況に応じて一部のステップ又はすべてのステップを実現
することができる。
【００３３】
Ｓ２において、前記第１バーコードを識別して読み取り、バーコード識別読取り設備を介
して識別して読み取った後に、商品生産完了の時間、場所、成分及び商品品質検出の関連
情報を指定されたＩＰアドレスにより偽造防止システムにリアルタイムにアップロードし
、第１バーコードを識別して読み取ると共に、第２バーコードをアクティブにする。
【００３４】
Ｓ３において、前記第２バーコード情報を識別して読み取り、前記偽造防止システムにリ
ンクする。
【００３５】
末端消費者又はユーザは、商品を購入し、或いは使用するとき、商品のキーな部位又は商
品包装を開けるキーな部位に、開示されない第２バーコード(隠されるバーコード)をプリ
ントし、スマート携帯端末、例えば、スマートフォンによりシステムに合わせる専用のＡ
ＰＰソフトウェアをダワンロードし、ウィーチャット、Ｆａｃｅｂｏｏｋなどのバーコー
ド識別読取り機能を利用して開示されない第２バーコードを識別して読み取る。
【００３６】
前記開示されない第２バーコード情報を識別して読み取ることにより、前記偽造防止シス
テムの検証判断サブシステムに直接的にリンクし、ステップＳ４に進入する。
【００３７】
Ｓ４において、商品が純正品であるか否かを判断し、ＹＳＥであると、ステップＳ５に進
入し、ＮＯであると、ステップＳ７に進入する。
【００３８】
偽物を防止するために、開示されない第２バーコードを利用して商品が純正品であるか否
かを検証して判断する。
【００３９】
さらに、図２に示すように、該方案は、具体的には、以下のステップを含む。
【００４０】
Ｓ４１において、前記開示されない第２バーコードが偽造防止システムにより識別して読
み取られると、第１回に識別して読み取られると判断する場合、該商品が純正品であるフ
ィードバック情報を送信し、偽造防止システムにより生成される再識別読取り認証コード
をユーザに送信し、ステップＳ５に進入する。
【００４１】
Ｓ４２において、前記開示されない第２バーコードが偽造防止システムにより識別して読
み取られるが、第１回に識別して読み取られることではない場合、偽造防止システムは、
前記第２バーコードがもう第Ｎ回に識別して読み取られることを提示し、かつユーザに偽
造防止システムから送信した再識別読取り認証コードを入力するように気付かせ、認証コ
ードがシステムにより成功を認証すると、商品が純正品であることを確認するフィードバ
ック情報を送信し、ステップＳ５に進入し、認証コードがシステムにより失敗を認証する
と、ステップＳ７に進入し、ただし、Ｎが１より大きい整数である。
【００４２】
前記開示されない第２バーコードが偽造防止システムにより識別して読み取られないと、
ステップＳ７に進入する
【００４３】
上記各商品の開示されない第２バーコードは、末端消費者又はユーザが商品の真偽を検証
するときのみに用いられる。開示されない第２バーコードは、異なる商品類型特徴に基い
て異なる隠し方式を設置することができる。
【００４４】
Ｓ５において、前記第２バーコードに関連する第１バーコードの商品情報及び関連情報を
抽出する。
【００４５】
Ｓ６において、前記偽造防止システムのサーバから前記第１バーコードの商品情報及び関
連情報をユーザのクライアントにダワンロードして表示する。
【００４６】
インターネット又はモバイルインターネットのモードで、人々の経営活動範囲は、より広
く、そのため、情報の交互及びシェアーを適時に行う必要がより緊急である。３Ｇ／４Ｇ
／５Ｇ及び他の移動ネットワーク環境でスマートフォン及びタブレットＰＣの普及に伴っ
て、バーコードの応用は、時間・空間及びハードウェア設備に制限されない。
【００４７】
Ｓ７において、商品が非純正品であるフィードバック情報をユーザに送信する。
【００４８】
前記開示されない第２バーコードが偽造防止システムにより識別して読み取られないと、
該商品が非純正品であるフィードバック情報をユーザに送信し、前記開示されない第２バ
ーコードが偽造防止システムにより識別して読み取られるが、第１回に識別して読み取ら
れることではない場合、偽造防止システムは、前記第２バーコードがもう第Ｎ次に識別し
て読み取られ、かつユーザに偽造防止システムから送信した再識別読取り認証コードを入
力するように気付かせ、認証コードがシステムにより失敗を認証すると、該商品が非純正
品であるフィードバック情報をユーザに送信し、Ｎが１より大きい整数である。
【００４９】
以下、インターネットに基くマルチレベルのバーコード偽造防止方法を実現する装置を説
明し、本装置に説明しない部分について、以上の方法における記載を参照することができ
る。
【００５０】
図３に示すように、上記方法を実現するための、インターネットに基くマルチレベルのバ
ーコード偽造防止装置１であって、
各商品に一対一対応するバーコードグループを生成して偽造防止システムにアップロード
し、前記バーコードグループは、少なくとも１つの開示された第１バーコード及び１つの
開示されない第２バーコードを含み、前記第２バーコードが第１バーコードの情報に単一
方向に関連するバーコード生成ユニット１０と、
前記第１バーコードを識別して読み取り、バーコード識別読取り設備により識別して読み
取られた後、商品生産完了の時間、場所、成分及び商品品質検出の関連情報を指定された
ＩＰアドレスにより偽造防止システムにリアルタイムにアップロードし、第１バーコード
を識別して読み取ると共に、第２バーコードをアクティブにする第１バーコード情報識別
読取りユニット２０と、
前記第２バーコード情報を識別して読み取り、前記偽造防止システムにリンクする第２バ
ーコード情報識別読取りユニット３０と、
商品が純正品であるか否かを判断し、純正品であると、関連情報抽出ユニット５０に進入
し、非純正品であると、非純正品情報フィードバックユニット７０に進入する判断ユニッ
ト４０と、
前記第２バーコードに関連する第１バーコードの商品情報及び関連情報を抽出する関連情
報抽出ユニット５０と、
前記偽造防止システムのサーバから前記第１バーコードの商品情報及び関連情報をユーザ
のクライアントにダワンロードして表示する情報ダワンロードユニット６０と、
商品が非純正品であるフィードバック情報をユーザに送信する非純正品情報フィードバッ
クユニット７０とを含む。
【００５１】
さらに、図４に示すように、判断ユニット４０は、具体的には、
前記開示されない第２バーコードが偽造防止システムにより識別して読み取られると、第
１回に識別して読み取られると判断する場合、該商品が純正品であるフィードバック情報
を送信し、かつ偽造防止システムにより生成される再識別読取り認証コードをユーザに送
信し、そして、関連情報抽出ユニット５０に進入する初回識別読取り判断ユニット４０１
と、
前記開示されない第２バーコードが偽造防止システムにより識別して読み取られるが、第
１回に識別して読み取られることではない場合、偽造防止システムは、前記第２バーコー
ドがもう第Ｎ次に識別して読み取られることを提示し、かつユーザに偽造防止システムか
ら送信した再識別読取り認証コードを入力することを気付かせ、認証コードがシステムよ
り成功を認証すると、商品が純正品であるフィードバック情報を送信し、認証コードがシ
ステムにより失敗を認証すると、非純正品情報フィードバックユニット７０に進入し、た
だし、Ｎが１より大きい整数である再識別読取り判断ユニット４０２と、
前記第２バーコードが偽造防止システムにより識別して読み取られないと、非純正品情報
フィードバックユニット７０に進入する４０３とを含む。
【００５２】
さらに、バーコード生成ユニット１０は、以下を含む。
バーコード生成ユニット１０は、商品の生産製造過程において、各商品に一対一対応する
バーコードグループを生成して偽造防止システムにアップロードし、前記バーコードグル
ープは、少なくとも１つの開示される第１バーコード及び１つの開示されない第２バーコ
ードを含み、前記第２バーコードは、第１バーコードの情報に単一方向に関連し、前記商
品情報は、製造過程の関連情報を含むことができる。
第１バーコードを識別して読み取り、具体的には、前記第１バーコードを識別して読み取
り、バーコード識別読取り設備により識別した後に、商品生産完了の時間、場所、成分及
び商品品質の検出などの関連情報を指定されたＩＰアドレスにより偽造防止システムにリ
アルタイムにアップロードすると共に、開示されない第２バーコードをアクティブにする
。
【００５３】
バーコード生成ユニット１０は、さらに、
商品生産が完了した後、グルーピングし、及び／又は棚入れし、及び／又は数回に分けて
包装するとき、グルーピングし、及び／又は棚入れし、及び／又は数回に分けて包装する
異なるバーコードグループを対応に生成し、対応して以下のステップを行う商品流通バー
コード生成ユニットを含む。
【００５４】
前記第１バーコード情報を、グルーピングして包装するバーコード情報に加え、偽造防止
システムにアップロードする。
【００５５】
グルーピングして包装する各バーコード情報を、棚入れして包装するバーコード情報に加
え、偽造防止システムにアップロードする。
【００５６】
棚入れして包装する各バーコード情報を、数回に分けて包装するバーコード情報に加え、
偽造防止システムにアップロードする。
【００５７】
グルーピングし、及び／又は棚入れし、及び／又は数回に分けて包装する前記バーコード
を識別して読み取り、リンクにより流通及び販売過程における情報を偽造防止システムに
自動的にリアルタイムにアップロードする。
【００５８】
図５に示すように、インターネットに基づくマルチレベルのバーコード偽造防止システム
１００は、サーバ２００、サーバ２００に接続する制御器３００、バーコード生成設備及
びサーバ２００に通信する少なくとも１つのクライアント４００を含み、制御器３００は
、上記のインターネットに基づくマルチレベルのバーコード偽造防止装置１を含む。
【００５９】
サーバ２００は、管理システムに接続し、管理システムが制御器３００に設置されること
ができ、管理システムがＷＩＦＩ、３Ｇ、４Ｇ、５Ｇ、ブルートゥース及びＧＰＲＳなど
の通信方式により前記クライアントに通信する。
【００６０】
或いは、システム１００は、実質的には、インターネットに基づくマルチレベルのバーコ
ード偽造防止システムの管理系であり、サーバ２００、サーバ２００に接続するバーコー
ド生成設備、制御器３００、ソフトウェアなど、及びサーバ２００に通信する少なくとも
１つのクライアント４００を含む。
【００６１】
末端消費者又はユーザは、商品を購入し、或いは使用するとき、商品のキーな部位又は商
品包装を開けるキーな部位に、開示されない第２バーコード(隠されるバーコード)をプリ
ントし、スマート携帯端末、例えば、スマートフォンによりシステムに合わせる専用のＡ
ＰＰソフトウェアをダワンロードし、ウィーチャット、Ｆａｃｅｂｏｏｋなどのバーコー
ド識別読取り機能を利用して開示されない第２バーコードを識別して読み取る。リンクシ
ステムにより、バックエンドサーバで該商品の開示されない第２バーコードが第１回に識
別して読み取られ、或いは、再識別読取り認証コードにより成功を認証するとき、システ
ム１００は、該商品が純正品である情報を送信するとと共に、商品生産完了の時間、場所
、成分、商品品質の検出及び流通などの関連情報を消?者に送信することができる。前記
開示されない第２バーコードが偽造防止システムにより識別して読み取られなく、或いは
、再識別読取り認証コードにより失敗を認証するとき、システム１００は、該商品が非純
正品であるフィードバック情報をユーザに送信する。必要に応じて純正品生産完了の時間
、場所、商品品質の検出及び流通などの関連情報を選択的に消費者に送信することができ
る。
【００６２】
本発明に係るインターネットに基くマルチレベルのバーコード偽造防止方法、装置及びシ
ステムは、以下の有益な技術効果を有する。
【００６３】
本発明の技術案は、各商品に一対一対応する第１バーコード情報により商品の生産及び流
通情報をトラッキングし、商品の全過程情報のトラッキング可能性を実現し、かつ第２バ
ーコード情報により商品の真偽を検証することができる。それによりマルチレベルの偽造
防止や、改竄防止、交換防止、使い込み防止を実現し、特に、カスタマイズする製品、中
級・最高仕様の商品及びブランド保護に適用され、模造、偽造商品が生存することができ
ない。
【００６４】
インターネットや、ＷＩＦＩ、３Ｇ、４Ｇ、５Ｇ、ブルートゥース、ＧＰＲＳなどの通信
方式により、材料の流通のリアルタイムフォローアップ及び追跡を実現し、設備の遠隔メ
インテナンス及び保全、製品偽造防止、改竄防止及び末端消費者の激励、企業サプライチ
ェーンフローの再構築などに役立ち、消費者の応答度を向上し、製品及びサービスを末端
消費者まで拡大する。
【００６５】
メーカーも市場ダイナミクスを適時に把握し、より実用の製品を開発して消費者の必要を
満足し、最終にオーダに従って生産し、生産コスト及び経営コストを大幅に低下する。
【００６６】
バーコードの普及及び応用は、商品の生命周期全体のトラッキングに有利であり、商品の
廃棄及び回収再利用に有利である。
【００６７】
以上、本発明の好ましい実施例であり、本発明を制限しない。本発明の精神及び原則で、
行った修正、同等置換、改良も、いずれも、本発明の保護範囲に含まれる。
【図１】
2019530055.tif 000003
【図２】
2019530055.tif 000004
【図３】
2019530055.tif 000005
【図４】
2019530055.tif 000006
【図５】
2019530055.tif 000007
【国際調査報告】
2019530055.tif 000008
2019530055.tif 000009
2019530055.tif 000010
2019530055.tif 000011